(57)【特許請求の範囲】
【請求項１】
エンジンにより駆動される同期発電機から出力端子板への出力を、高電圧出力と低電圧出力とに切り替える電圧設定手段と、単相出力と三相出力とに切り替える単相／三相設定手段とを備えた可搬式エンジン発電機において、
前記単相／三相設定手段の設定が単相出力状態であることを検出する第１の検出手段と、
前記電圧設定手段の設定が高電圧出力状態であることを検出する第２の検出手段と、
前記第１の検出手段が単相出力状態を検出し、かつ、前記第２の検出手段が高電圧出力状態を検出したときに、前記出力端子板への出力を停止する出力停止手段とを備え、
前記同期発電機は、１２０度の位相差で中性点にＹ結線した三相の電機子コイルを、内端が前記中性点に接続される内側コイルと、該内側コイルに対して直列又は並列に接続される外側コイルとに分割形成したものであり、
前記電圧設定手段は、前記同期発電機における内側コイルの外端と外側コイルの内端とを接続して内外コイルをそれぞれ直列に接続したときに電機子コイル外端の出力端から高電圧の三相交流を、内側コイルの内端と外側コイルの内端とを接続するとともに内側コイルの外端と外側コイルの外端とを接続して内外コイルをそれぞれ並列に接続したときに電機子コイル外端の出力端から低電圧の三相交流をそれぞれ出力する状態に切替設定するものであり、
前記単相／三相設定手段は、三相の電機子コイルの中性点接続端をそれぞれ前記中性点に接続したときに各電機子コイル外端の出力端と前記中性点とから三相四線式を、三相の電機子コイルの中の第１の電機子コイルの中性点接続端を第２の電機子コイルの出力端に接続したときに、前記第１の電機子コイルの外端の出力端と第３の電機子コイルの外端の出力端と前記中性点とから単相三線式をそれぞれ出力する状態に切替設定するものであり、
前記第１の検出手段は、前記第１の電機子コイルの中性点接続端と前記中性点との間に設けられた第１の電圧検出手段であり、
前記第２の検出手段は、三相の電機子コイルの中の任意の一つの電機子コイルにおける内側コイルの内端と外側コイルの内端との間又は内側コイルの外端と外側コイルの外端との間に設けられた第２の電圧検出手段であり、
前記出力停止手段は、両電圧検出手段が電圧を検出してＯＮになったときに作動して遮断器をトリップさせる遮断器トリップ手段である
ことを特徴とする可搬式エンジン発電機。
【発明の詳細な説明】
【技術分野】
【０００１】
本発明は、可搬式エンジン発電機に関し、詳しくは、三相（三相三線式又は三相四線式
）の高電圧交流出力と低電圧交流出力とを切替可能で、同時に低電圧の単相三線式の交流
出力も出力可能とした可搬式エンジン発電機に関する。
【背景技術】
【０００２】
エンジンで同期発電機を駆動して発電する可搬式のエンジン発電機では、使用場所や負
荷に応じて三相（三相三線式又は三相四線式）の高電圧交流出力（例えば４００Ｖ）と低
電圧交流出力（例えば２００Ｖ）とを切替出力可能としたものが広く使用されている。ま
た、このような可搬式のエンジン発電機は、照明用の電源、電動工具や事務機等の電源と
しても使用されるため、一般家庭と同じ単相三線式の低電圧の交流出力（例えば１００Ｖ
及び２００Ｖ）も求められている。
【０００３】
三相出力の電圧切替は、同期発電機内の三相のコイルの接続状態を、直列と並列とにそ
れぞれ切り替えることによって行われており、単相出力への切り替えは、同期発電機内の
三相のコイルの内の二つのコイルを直列に接続することによってわれている。このように
して高電圧と低電圧とを切り替えるとともに三相と単相とを切り替える場合、三相出力を
高電圧に設定しているときに三相から単相に切り替えると、単相の出力電圧が高電圧（例
えば２００Ｖ及び４００Ｖ）になってしまう。このように単相出力が高電圧になっている
状態で、単相１００Ｖで使用する事務機などの負荷を接続すると、負荷に高電圧が作用し
て焼損などの事故が発生するおそれがある。
【０００４】
このため、出力電圧が高電圧側に設定されていることを検出する高電圧設定検出手段と
、高電圧設定検出手段が高電圧に設定されていることを検出したときに警報を発する警報
手段と、警報を確認したことを入力する警報確認入力手段とを備え、警報確認入力手段が
操作されたときには警報を停止して高電圧での出力を継続し、警報確認入力手段が操作さ
れないときには、発電機の出力電圧を低くしたり、遮断器をトリップさせたり、エンジン
を停止させたりすることにより、低電圧で使用する負荷を保護するようにしたエンジン発
電機が知られている（例えば、特許文献１参照。）。
【先行技術文献】
【特許文献】
【０００５】
【特許文献１】特開２００９−８１９４０号公報
【発明の概要】
【発明が解決しようとする課題】
【０００６】
しかし、特許文献１に記載されたエンジン発電機では、高電圧で運転する際には、警報
確認入力手段を毎回操作しなければならず、工事現場などでは煩わしい余計な作業となる
。
【０００７】
そこで本発明は、発電機の出力が高電圧状態のときに単相三線式の出力端子に高電圧が
出力されることを自動的に防止することができ、単相の低電圧で使用する負荷を保護する
ことができる可搬式エンジン発電機を提供することを目的としている。
【課題を解決するための手段】
【０００８】
上記目的を達成するため、本発明の可搬式エンジン発電機は、エンジンにより駆動され
る同期発電機から出力端子板への出力を、高電圧出力と低電圧出力とに切り替える電圧設
定手段と、単相出力と三相出力とに切り替える単相／三相設定手段とを備えた可搬式エン
ジン発電機において、前記単相／三相設定手段の設定が単相出力状態であることを検出す
る第１の検出手段と、前記電圧設定手段の設定が高電圧出力状態であることを検出する第
２の検出手段と、前記第１の検出手段が単相出力状態を検出し、かつ、前記第２の検出手
段が高電圧出力状態を検出したときに、前記出力端子板への出力を停止する出力停止手段
とを備えていることを特徴としている。
【０００９】
本発明の可搬式エンジン発電機における前記同期発電機は、１２０度の位相差で中性点
にＹ結線した三相の電機子コイルを、内端が前記中性点に接続される内側コイルと、該内
側コイルに対して直列又は並列に接続される外側コイルとに分割形成したものであり、前
記電圧設定手段は、前記同期発電機における内側コイルの外端と外側コイルの内端とを接
続して内外コイルをそれぞれ直列に接続したときに電機子コイル外端の出力端から高電圧
の三相交流を、内側コイルの内端と外側コイルの内端とを接続するとともに内側コイルの
外端と外側コイルの外端とを接続して内外コイルをそれぞれ並列に接続したときに電機子
コイル外端の出力端から低電圧の三相交流をそれぞれ出力する状態に切替設定するもので
あり、前記単相／三相設定手段は、三相の電機子コイルの中性点接続端をそれぞれ前記中
性点に接続したときに各電機子コイル外端の出力端と前記中性点とから三相四線式を、三
相の電機子コイルの中の第１の電機子コイルの中性点接続端を第２の電機子コイルの出力
端に接続したときに、前記第１の電機子コイルの外端の出力端と第３の電機子コイルの外
端の出力端と前記中性点とから単相三線式をそれぞれ出力する状態に切替設定するもので
あることを特徴としている。
【００１０】
さらに、本発明の可搬式エンジン発電機は、前記第１の検出手段が、前記第１の電機子
コイルの中性点接続端と前記中性点との間に設けられた第１の電圧検出手段であり、前記
第２の検出手段は、三相の電機子コイルの中の任意の一つの電機子コイルにおける内側コ
イルの内端と外側コイルの内端との間又は内側コイルの外端と外側コイルの外端との間に
設けられた第２の電圧検出手段であり、前記出力停止手段は、両電圧検出手段が電圧を検
出してＯＮになったときに作動して遮断器をトリップさせる遮断器トリップ手段であるこ
とを特徴としている。
【発明の効果】
【００１１】
本発明の可搬式エンジン発電機によれば、電機子コイルの接続状態を単相出力状態とし
たときに、出力端子板に高電圧が出力されることを自動的に防止することができるので、
単相の低電圧で使用する負荷を確実に保護することができる。
【図面の簡単な説明】
【００１２】
【図１】本発明の可搬式エンジン発電機における出力部の一形態例を示す回路図である。
【図２】可搬式エンジン発電機における同期発電機の電機子コイルを三相高電圧出力状態としたときの接続状態の一例を示す回路図である。
【図３】同じく三相低電圧出力時の接続状態の一例を示す回路図である。
【図４】同じく単相低電圧出力時の接続状態の一例を示す回路図である。
【図５】同じく単相高電圧出力時の接続状態の一例を示す回路図である。
【図６】高電圧接続状態とした電圧切替端子台の説明図である。
【図７】低電圧接続状態とした電圧切替端子台の説明図である。
【図８】単相／三相設定手段の一例を示す説明図である。
【発明を実施するための形態】
【００１３】
本形態例に示す可搬式エンジン発電機における同期発電機１１は、図１乃至図５に示す
ように、Ｕ相、Ｖ相、Ｗ相の三相の各電機子コイル１２を、中性点Ｏに接続された内側コ
イル１２ａと外側コイル１２ｂとに２分割し、内側コイル１２ａと外側コイル１２ｂとの
接続状態を、電圧設定手段である電圧切替端子台１３の短絡板１３ａで直列接続又は並列
接続することによって出力電圧を高電圧と低電圧とに切替可能に形成するとともに、単相
／三相設定手段である単相／三相切替スイッチ１４によってＷ相の電機子コイル（第１の
電機子コイル）の内端（中性点接続端）Ｚ２の接続先を、中性点Ｏと、Ｖ相の電機子コイ
ル（第２の電機子コイル）の外端Ｖ１とのいずれかに切り替えることで三相四線式と単相
三線式とを切替可能に形成している。同期発電機１１からの出力は、電圧切替端子台１３
から遮断器１５を介して出力端子板１６の各出力端子Ｕ，Ｖ，Ｗに出力される。
【００１４】
また、Ｗ相の電機子コイルの内端Ｚ２と中性点Ｏとの間には、内端Ｚ２と中性点Ｏとの
電位差の有無を検出するための第１電圧検出手段である第１リレーＲＹ１を設け、Ｖ相の
電機子コイルおける内側コイル１２ａの外端Ｖ２と外側コイル１２ｂの外端Ｖ１との間に
は、外端Ｖ２と外端Ｖ１との電位差の有無を検出するための第２電圧検出手段である第２
リレーＲＹ２を設けるとともに、第１リレーＲＹ１の常開接点と第２リレーＲＹ２の常開
接点と遮断器１５をトリップさせるためのブレーカトリップコイルＴＣとを直列に接続し
た保護回路１７を設けている。
【００１５】
さらに、Ｗ相の電機子コイルの内端Ｚ２と中性点Ｏとの間には単相運転表示灯ＬＰ１が
、Ｗ相の電機子コイルの内端Ｚ２とＶ相の電機子コイルおける内側コイル１２ａの外端Ｖ
２との間には三相運転表示灯ＬＰ２がそれぞれ設けられている。なお、以下の説明におい
ては、三相高電圧出力を４００Ｖ、三相低電圧出力を２００Ｖ、単相出力を１００Ｖ／２
００Ｖとして説明する。
【００１６】
まず、図８（Ｂ）に示すように、単相／三相切替スイッチ１４のレバーを三相側１４ａ
とした状態において、電圧切替端子台１３の短絡板１３ａを図６に示す配置にすると、図
２に示すように、各電機子コイルにおける内側コイル１２ａと外側コイル１２ｂとがそれ
ぞれ直列に接続された状態になる。すなわち、各相の内側コイル１２ａの内端Ｘ２，Ｙ２
，Ｚ２がそれぞれ中性点Ｏに接続されるとともに、Ｕ相における内側コイル１２ａの外端
Ｕ２と外側コイル１２ｂの内端Ｘ１とが接続され、Ｖ相における内側コイル１２ａの外端
Ｖ２と外側コイル１２ｂの内端Ｙ１とが接続され、Ｗ相における内側コイル１２ａの外端
Ｗ２と外側コイル１２ｂの内端Ｚ１とが接続された状態となることにより、各内外コイル
１２ａ、１２ｂがそれぞれ直列に接続され、各外側コイル１２ｂの外端（出力端）Ｕ１，
Ｖ１，Ｗ１間に４００Ｖの三相交流が発生し、遮断器１５を介して出力端子板１６の出力
端子Ｕ，Ｖ，Ｗに４００Ｖの三相交流（Ｏを含めて出力端子Ｒ，Ｓ，Ｔ，Ｎの三相四線式
交流）が出力される。
【００１７】
このとき、Ｗ相の電機子コイルの内端Ｚ２と中性点Ｏとの間には電位差が発生しないの
で第１リレーＲＹ１はＯＦＦ、同様に単相運転表示灯ＬＰ１もＯＦＦ、Ｖ相の電機子コイ
ルおける内側コイル１２ａの外端Ｖ２と外側コイル１２ｂの外端Ｖ１との間には電位差が
発生するので第２リレーＲＹ２はＯＮ、Ｗ相の電機子コイルの内端Ｚ２とＶ相の電機子コ
イルおける内側コイル１２ａの外端Ｖ２との間にも電位差が発生するので三相運転表示灯
ＬＰ２もＯＮとなる。保護回路１７では、第２リレーＲＹ２の常開接点は閉状態になるが
、第１リレーＲＹ１の常開接点は開状態であるから、ブレーカトリップコイルＴＣは非作
動状態となっている。
【００１８】
また、単相／三相切替スイッチ１４を三相側１４ａとした状態において、電圧切替端子
台１３の短絡板１３ａを図７に示す配置にすると、図３に示すように、各電機子コイルに
おける内側コイル１２ａと外側コイル１２ｂとがそれぞれ並列に接続された状態になる。
【００１９】
すなわち、Ｕ相における内側コイル１２ａの外端Ｕ２と外側コイル１２ｂの外端Ｕ１とを
接続し、Ｖ相における内側コイル１２ａの外端Ｖ２と外側コイル１２ｂの外端Ｖ１とを接
続し、Ｗ相における内側コイル１２ａの外端Ｗ２と外側コイル１２ｂの外端Ｗ１とを接続
した状態にするとともに、各外側コイル１２ｂの内端Ｘ１，Ｙ１，Ｚ１を各内側コイル１
２ａの内端Ｘ２，Ｙ２，Ｚ２を介してそれぞれ中性点に接続した状態にすると、各内外コ
イル１２ａ、１２ｂがそれぞれ並列接続された状態になり、各コイルの外端Ｕ１（Ｕ２）
，Ｖ１（Ｖ２），Ｗ１（Ｗ２）に２００Ｖの三相交流が発生し、遮断器１５を介して出力
端子板１６の出力端子Ｕ，Ｖ，Ｗに２００Ｖの三相交流（中性点Ｏを含めて出力端子Ｒ，
Ｓ，Ｔ，Ｎの三相四線式交流）が出力される。
【００２０】
このとき、Ｗ相の電機子コイルの内端Ｚ２と中性点Ｏとの間には電位差が発生しないの
で第１リレーＲＹ１はＯＦＦ、同様に単相運転表示灯ＬＰ１もＯＦＦ、Ｖ相の電機子コイ
ルおける内側コイル１２ａの外端Ｖ２と外側コイル１２ｂの外端Ｖ１との間にも電位差が
発生しないので第２リレーＲＹ２もＯＦＦ、Ｗ相の電機子コイルの内端Ｚ２とＶ相の電機
子コイルおける内側コイル１２ａの外端Ｖ２との間には電位差が発生するので三相運転表
示灯ＬＰ２はＯＮとなる。保護回路１７では、第１リレーＲＹ１及び第２リレーＲＹ２の
常開接点は共に開状態であるから、ブレーカトリップコイルＴＣは非作動状態となってい
る。
【００２１】
一方、図８（Ａ）に示すように、単相／三相切替スイッチ１４のレバーを単相側１４ｂ
とした状態において、電圧切替端子台１３の短絡板１３ａを図７に示す配置にすると、図
４に示すように、各相の内外コイル１２ａ、１２ｂは、前記低電圧出力状態と同じ並列接
続された状態になるとともに、Ｗ相の内側コイル１２ａの内端Ｚ２の接続先が、単相／三
相切替スイッチ１４の切り替えによって中性点ＯからＶ相の外側コイル１２ｂの外端Ｖ１
又は内側コイル１２ａの外端Ｖ２に切り替えられる。同時に、出力端子板１６の出力端子
Ｖは中性点Ｏに接続された状態に切り替えられる。
【００２２】
これにより、中性点Ｏと、Ｕ相のコイルの外端Ｕ１（Ｕ２）と、Ｗ相のコイルの外端Ｗ
１（Ｗ２）とに低圧の単相三線式交流が発生し、遮断器１５を介して中性点Ｏに接続され
た出力端子Ｖと、Ｕ相の外端Ｕ２に接続された出力端子Ｕと、Ｗ相の外端Ｗ２に接続され
た出力端子Ｗとから低圧の単相三線式交流が出力され、各出力端子Ｕ，Ｖ，Ｗが単相三線
式の出力端子Ｒ，Ｎ，Ｔに相当することになり、出力端子Ｖと出力端子Ｕとの間、及び、
出力端子Ｖと出力端子Ｗとの間にそれぞれ１００Ｖの単相交流が、出力端子Ｕと出力端子
Ｗとの間に２００Ｖの単相交流がそれぞれ出力される。したがって、Ｕ相、Ｖ相、Ｗ相の
三相の各電機子コイル１２の接続状態を図４に示す状態とすることにより、本形態例に示
す可搬式エンジン発電機を事務用、家庭用などの一般的な電気機器の電源として用いるこ
とができる。
【００２３】
このとき、Ｗ相の電機子コイルの内端Ｚ２と中性点Ｏとの間には電位差が発生するので
第１リレーＲＹ１はＯＮ、同様に単相運転表示灯ＬＰ１もＯＮ、Ｖ相の電機子コイルおけ
る内側コイル１２ａの外端Ｖ２と外側コイル１２ｂの外端Ｖ１との間には電位差が発生し
ないので第２リレーＲＹ２はＯＦＦ、Ｗ相の電機子コイルの内端Ｚ２とＶ相の電機子コイ
ルおける内側コイル１２ａの外端Ｖ２との間にも電位差が発生しないので三相運転表示灯
ＬＰ２もＯＦＦとなる。保護回路１７では、第１リレーＲＹ１の常開接点は閉状態になる
が、第２リレーＲＹ２の常開接点は開状態であるから、ブレーカトリップコイルＴＣは非
作動状態となっている。
【００２４】
ここで、何らかの原因で、電圧切替端子台１３の短絡板１３ａが図６に示す配置で、単
相／三相切替スイッチ１４が単相側１４ｂに切り替えられていると、各電機子コイル１２
の接続状態は、図５に示すように、各相の内外コイル１２ａ、１２ｂが、図２に示した接
続状態と同様に、各内外コイル１２ａ、１２ｂが直列に接続された状態になるとともに、
Ｗ相のコイル１２ａの内端Ｚ２の接続先が、図４に示した接続状態と同様に、Ｖ相のコイル１２ｂの外端Ｖ１に接続された状態になる。
【００２５】
この接続状態では、各内外コイル１２ａ、１２ｂが直列に接続された高電圧出力状態に
なっているため、単相三線式を出力する中性点Ｏと、Ｕ相の外側コイル１２ｂの外端Ｕ１
と、Ｗ相の外側コイル１２ｂの外端Ｗ１とに、それぞれ２００Ｖの電圧が発生し、出力端
子板１６の出力端子Ｕ，Ｖ，Ｗからは、出力端子Ｖと出力端子Ｕとの間、及び、出力端子
Ｖと出力端子Ｗとの間にそれぞれ２００Ｖの単相交流が、出力端子Ｕと出力端子Ｗとの間
に４００Ｖの単相交流がそれぞれ出力されることになる。
【００２６】
この場合、事務用、家庭用などの一般的な電気機器を出力端子板１６に接続すると、本
来は単相１００Ｖの端子間が単相２００Ｖに、また、本来は単相２００Ｖの端子間が単相
４００Ｖになっているため、接続した電気機器に２倍の電圧が作用することになり、配線
や部品が焼損して電気機器が破損してしまうおそれがある。
【００２７】
このとき、Ｗ相の電機子コイルの内端Ｚ２と中性点Ｏとの間には電位差が発生するので
第１リレーＲＹ１はＯＮ、同様に単相運転表示灯ＬＰ１もＯＮ、Ｖ相の電機子コイルおけ
る内側コイル１２ａの外端Ｖ２と外側コイル１２ｂの外端Ｖ１との間にも電位差が発生す
るので第２リレーＲＹ２もＯＮとなり、Ｗ相の電機子コイルの内端Ｚ２とＶ相の電機子コ
イルおける内側コイル１２ａの外端Ｖ２との間には電位差が発生しないので三相運転表示
灯ＬＰ２はＯＦＦとなる。
【００２８】
したがって、保護回路１７では、第１リレーＲＹ１及び第２リレーＲＹ２の常開接点が
共に閉状態となり、ブレーカトリップコイルＴＣが通電状態となることから、ブレーカト
リップコイルＴＣが作動して遮断器１５をトリップさせる。すなわち、第１リレーＲＹ１
及び第２リレーＲＹ２の常開接点と、遮断器１５をトリップさせるためのブレーカトリッ
プコイルＴＣとを直列に配置し、第１リレーＲＹ１及び第２リレーＲＹ２とが共にＯＮと
なったときにブレーカトリップコイルＴＣが作用して遮断器１５をトリップさせる保護回
路１７を設けておくことにより、電圧切替端子台１３の短絡板１３ａが図６に示す配置で
、単相／三相切替スイッチ１４が単相側１４ｂに切り替えられ、各電機子コイル１２の接
続状態が、図５に示す状態となったときには、第１リレーＲＹ１及び第２リレーＲＹ２が
共にＯＮとなって自動的に遮断器１５をトリップさせ、出力端子板１６に単相の高電圧が
出力されることを防止する。
【００２９】
さらに、保護回路１７に、エンジンを停止させるためのリレー回路などを設けておくこ
とにより、単相の高電圧が出力される異常な状態になったときに、同期発電機１１を駆動
するエンジンを停止させることができ、燃料の無駄な消費を防ぐことができる。エンジン
が停止して同期発電機１１が停止すると、単相運転表示灯ＬＰ１がＯＦＦとなり、両運転
表示灯ＬＰ１，ＬＰ２が消灯した状態になる。
【００３０】
このように、電圧切替端子台１３が各内外コイルを直列に接続した状態になっており、
かつ、単相／三相切替スイッチ１４が単相側になっている状態を検出してＯＮとなるリレ
ーＲＹ１，ＲＹ２とブレーカトリップコイルＴＣとを直列に接続した簡単な構成で、単相
の１００Ｖや２００Ｖで使用する負荷に高電圧が作用することを自動的かつ確実に防止す
ることができる。
【００３１】
なお、第１リレーＲＹ１は、三相接続と単相接続とで電位差が異なる位置ならば任意の
位置に設けることができ、第２リレーＲＹ２は、内外コイルの直列接続と並列接続とで電
位差が異なる位置ならば任意の位置に設けることができる。例えば、第２リレーＲＹ２は
、内側コイルの内端と外側コイルの内端との間に設けることもできる。また、各リレーＲ
Ｙ１，ＲＹ２は、単相出力の際に出力端子板１６に一瞬でも高電圧が出力されないように
、発電機の運転開始後、電圧が１００Ｖに上昇するまでの間に作用するものを用いること
が好ましく、例えば、半導体リレーを使用することが望ましい。
【００３２】
さらに、単相三線式を出力する状態となっていることを検出する第１の検出手段は、前
記第１リレーＲＹ１に限るものではなく、単相／三相設定手段の切替状態を検出するもの
であってもよく、例えば、単相／三相切替スイッチ１４のレバーが単相側１４ｂの位置に
あることを、リミットスイッチ、光電スイッチ、近接スイッチなどの検出手段１４ｃで検
出するようにしてもよい。同様に、内外コイルが直列に接続した状態となっていることを
検出する第２の検出手段は、前記第２リレーＲＹ２に限るものではなく、電圧切替端子台
１３の短絡板１３ａが図６に示す位置にあることを、リミットスイッチ、光電スイッチ、
近接スイッチなどの検出手段１３ｂで検出するようにしてもよい。
【００３３】
逆に、単相／三相切替スイッチ１４のレバーが三相側１４ａの位置にあることを検出し
たり、電圧切替端子台１３の短絡板１３ａが図７に示す位置にあることを検出したりする
ことによって前記同様の保護回路を形成することも可能であり、また、単相／三相切替ス
イッチ１４のレバーが三相側１４ａと単相側１４ｂとのいずれにあるかを検出するように
両方に検出手段を設けてもよく、電圧切替端子台１３の短絡板１３ａが図６に示す位置と
図７に示す位置とのいずれにあるかを検出するように両方に検出手段を設けてもよい。さ
らに、出力停止手段は、遮断器をトリップするものに代えて発電機駆動用のエンジンを停
止させるものとしてもよい。
【符号の説明】
【００３４】
１１…同期発電機、１２…電機子コイル、１２ａ…内側コイル、１２ｂ…外側コイル、
１３…電圧切替端子台、１３ａ…短絡板、１３ｂ…検出手段、１４…単相／三相切替スイ
ッチ、１４ａ…三相側、１４ｂ…単相側、１４ｃ…検出手段、１５…遮断器、１６…出力
端子板、１７…保護回路
【図１】
0005610774.tif 000002
【図２】
0005610774.tif 000003
【図３】
0005610774.tif 000004
【図４】
0005610774.tif 000005
【図５】
0005610774.tif 000006
【図６】
0005610774.tif 000007
【図７】
0005610774.tif 000008
【図８】
0005610774.tif 000009